(57)【要約】【課題】本体ケース内に吸い込んだ空気中の塵埃等をフィルター体で除去すると共に、使用形態の多様化を可能とする。【解決手段】本体ケース１内に吸い込んだ空気をフィルター体１３で浄化して本体ケース１外に吹き出す空気清浄機において、本体ケース１に着脱自在に装着され、平面殺菌灯２８を内蔵する殺菌装置５１を設け、この殺菌装置５１の装着時に本体ケース１内に吸い込んだ空気を連通口５５から殺菌装置５１内を通過させて排気口５３から本体ケース１外に吹き出すようにすると共に、非装着時にも平面殺菌灯２８を点灯可能とする。【効果】殺菌装置の装着時には、本体ケース内に吸い込んだ空気をフィルター体にて浄化でき、且つ、殺菌灯にて殺菌できると共に、非装着時には下駄箱等の狭い空間に設置して殺菌を行うことができ、使用形態を多様化することができる。【選択図】　　　図５
2004033269.tif 000002
【特許請求の範囲】
【請求項１】
本体ケース内に吸い込んだ空気をフィルターで浄化して本体ケース外に吹き出す空気清浄機において、前記本体ケースに着脱自在に装着され、殺菌灯を内蔵する殺菌装置を設け、該殺菌装置の装着時に前記本体ケース内に吸い込んだ空気を前記殺菌装置内を通過させて前記本体ケース外に吹き出すようにすると共に、非装着時にも前記殺菌灯を点灯可能としたことを特徴とする空気清浄機。
【請求項２】
前記殺菌装置には、前記本体ケース外に突出する取手が形成されていることを特徴とする請求項１に記載の空気清浄機。
【請求項３】
前記殺菌装置には、前記取手が形成された面に、装着時に本体ケース外と連通する排気口が形成されていることを特徴とする請求項２に記載の空気清浄機。
【請求項４】
前記殺菌装置には、前記取手が形成された面と対向する対向面から脚が突出することを特徴とする請求項３に記載の空気清浄機。
【請求項５】
前記対向面には、前記殺菌装置の装着時に本体ケース内と連通する連通口が形成されていることを特徴とする請求項４に記載の空気清浄機。
【請求項６】
前記殺菌灯は、一方から紫外線を照射し、他方から可視光を照射することを特徴とする請求項１乃至請求項５のいずれかに記載の空気清浄機。
【請求項７】
前記殺菌灯の他方を殺菌装置外に臨むようにしたことを特徴とする請求項６に記載の空気清浄機。
【請求項８】
前記殺菌灯の他方から照射される可視光を前記殺菌装置の装着時に前記本体ケースから漏洩させるようにしたことを特徴とする請求項６又は請求項７に記載の空気清浄機。
【請求項９】
前記殺菌装置は、前記殺菌灯の電源となる電池を内蔵することを特徴とする請求項１乃至請求項８のいずれかに記載の空気清浄機。
【発明の詳細な説明】
【０００１】
【発明の属する技術分野】
本発明は、殺菌灯を有し、本体ケース内に吸い込んだ空気を浄化して本体ケース外に吹き出す空気清浄機に関する。
【０００２】
【従来の技術】
従来、この種の空気清浄機として特開平１０−２４９１６６号公報（Ｂ０１Ｄ５３／８６）に、本体ケースの正面側の吸気口から部屋の空気を吸い込むと共に本体ケースの側方に形成した吸気口から部屋の空気を吸い込み、側方の吸気口から吸い込んだ空気を殺菌灯を通過させて殺菌し、殺菌した空気を本体ケースの正面側から吸気した空気と共に集塵フィルターと脱臭フィルターを通過させて、塵埃や臭気成分等を除去し、排気口から本体ケース外に吹き出す空気清浄機が知られている。
【０００３】
このような空気清浄機は、設置された部屋の空気を本体ケース内に吸い込み、吸い込んだ空気中の塵埃や臭気成分を集塵フィルターと脱臭フィルターにより除去でき、且つ、殺菌灯により殺菌も行うことができる反面、下駄箱等の狭い場所に設置することはできず、使用形態が限定されるものであった。
【０００４】
【発明が解決しようとする課題】
本発明は、本体ケース内に吸い込んだ空気をフィルターで浄化できると共に、使用形態を多様化できる空気清浄機を提供することを課題とする。
【０００５】
【課題を解決するための手段】
上記課題を解決するための手段は、本体ケース内に吸い込んだ空気をフィルターで浄化して本体ケース外に吹き出す空気清浄機において、前記本体ケースに着脱自在に装着され、殺菌灯を内蔵する殺菌装置を設け、この殺菌装置の装着時に前記本体ケース内に吸い込んだ空気を前記殺菌装置内を通過させて前記本体ケース外に吹き出すようにすると共に、非装着時にも前記殺菌灯を点灯可能とする。
【０００６】
これにより、殺菌装置を本体ケース内に装着することで、本体ケース内に吸い込んだ空気をフィルター体にて浄化でき、且つ、殺菌灯にて殺菌できると共に、非装着時には下駄箱等の狭い空間に殺菌装置を設置して殺菌を行うことができ、使用形態を多様化することができる。
【０００７】
上記構成において、前記殺菌装置には、前記本体ケース外に突出する取手が形成されているものである。
【０００８】
これにより、取手に手をかけて殺菌装置を本体ケースから容易に取り外すことができる。
【０００９】
また、前記殺菌装置には、前記取手が形成された面に前記殺菌灯の装着時に本体ケース外と連通する排気口が形成されているものである。
【００１０】
これにより、殺菌装置を取り外して設置した際に排気口側を設置面や障害物などに向けた状態でも排気口が塞がれるのを取手で防止でき、殺菌装置で殺菌した空気を排気口から確実に排気することができる。
【００１１】
また、前記殺菌装置には、前記取手が形成された面と対向する対向面から脚が突出するものである。
【００１２】
これにより、殺菌装置を本体ケースから取り外して使用する際に、脚にて安定して設置できる。更に、排気口が上方に向けて設置されるようになるので、殺菌灯の熱により排気口に向けて上昇気流が生じ、風量が増え、殺菌効率を向上できる。
【００１３】
また、前記対向面には、前記殺菌装置の装着時に本体ケース内と連通する連通口が形成されているものである。
【００１４】
これにより、殺菌装置を本体ケースから取り外して使用する際に、対向面に形成された脚部にて連通口が塞がれるのを防止でき、連通口から殺菌装置内に空気を確実に取り入れることができる。
【００１５】
また、前記殺菌灯は、一方から紫外線を照射し、他方から可視光を照射するものである。
【００１６】
これにより、殺菌装置内の空気に一方からの紫外線を照射して殺菌することができると共に、他方からの可視光を殺菌装置外に漏洩させることで、殺菌灯の点灯を容易に確認することが可能となる。
【００１７】
また、前記殺菌灯の他方を殺菌装置外に臨むようにする。
【００１８】
これにより、殺菌灯を本体ケースから取り外して使用する際に、殺菌灯の点灯時に殺菌装置外に殺菌灯の他方から照射される可視光を漏洩することができ、殺菌灯の点灯を容易に確認することができる。
【００１９】
また、前記殺菌灯の他方から照射される可視光を前記殺菌装置の装着時に前記本体ケースから漏洩させるようにする。
【００２０】
これにより、殺菌装置を本体ケースへ装着して使用する際にも、本体ケース外に漏洩する殺菌灯からの可視光にて殺菌灯の点灯を容易に確認することができる。
【００２１】
また、前記殺菌装置は、前記殺菌灯の電源となる電池を内蔵する。
【００２２】
これにより、殺菌装置を本体ケースから取り外して使用する際に、近くに商用電源が無くても電池を電源として使用することができ、使用場所が限定されること無く、使用形態を多様化できる。
【００２３】
【発明の実施の形態】
本発明の実施の形態の空気清浄機を図１乃至図８に基づき説明する。尚、以降、前カバー４側を正面とし、後ケース３側を背面とする。
【００２４】
１は合成樹脂にて形成された空気清浄機の本体ケースで、前面側を開口する後ケース３と、この後ケース３に着脱自在に装着される前カバー４と、前カバー４の上方側に位置する上ケース５とから構成されている。
【００２５】
前カバー４には吸気口となる複数のスリット状の孔６が形成されており、この孔６から本体ケース１内に空気が取り込まれる。また、前カバー４の下部には、後ケース３の前面側下部に形成された係止孔７に挿入される回動係止部８が形成され、前カバー４の左右両側には押しボタン９の操作により後述する仕切板１１に着脱自在に係止される係止爪（図示せず）が形成されている。
【００２６】
後ケース３の上面には格子状の排気口２が形成され、背面側に渦巻き状のファンケーシング１０が一体に形成されており、このファンケーシング１０内は排気口２を介して本体ケース１外と連通する。
【００２７】
１１は本体ケース１内を前後に区画する仕切板で、仕切板１１の前カバー４側には前カバー４側を開口する凹状の収納部１２が形成され、この収納部１２の近傍には孔６から吸い込まれた空気中の塵埃を検知する図示しない塵埃センサが設けられている。
【００２８】
１３は収納部１２に着脱自在に装着されるフィルター体で、プレフィルター１４と、このプレフィルター１４の下流側に位置する集塵フィルター１５と、この集塵フィルター１５の下流側に位置する脱臭フィルター１６とから構成されている。
【００２９】
プレフィルター１４は格子状の合成樹脂製枠体１４ａとこの枠体１４ａ上に保持される不織布からなるフィルター素材（図示せず）とからなる。このプレフィルター１４の枠体１４ａの上部と下部には突部１８が形成されている。プレフィルター１４は、上部と下部の突部１８、１８を仕切板１１の上部と下部に形成された係止穴１７、１７にそれぞれ係止して取り付けられる。
【００３０】
集塵フィルター１５は、エレクトレット化されたポリプロピレン不織布を襞折り状に加工してその周囲を紙製枠体に固着して形成されている。
【００３１】
脱臭フィルター１６には活性炭などが内蔵されており、空気中の臭気成分を除去する。
【００３２】
１９は仕切板１１の後ケース３側に位置する第１排気通路で、仕切板１１と前記ファンケーシング１０とで形成される。この第１排気通路１９は第１排気口２を介して本体ケース１外と連通すると共に仕切板１１に形成した穴２０にて仕切板１１の前カバー４側の空間と連通する。
【００３３】
この第１排気通路１９内には、仕切板１１に取り付けられたモータ２１と、このモータ２１により駆動されるファン２２とで構成された送風機２３が配設されている。
【００３４】
２４は第１排気通路１９から分岐して形成された第２排気通路で、第１排気通路２４と孔２５にて連通する。この孔２５の上縁には後ケース３の背面側に延設する案内壁２７が形成されており、排気口２へ向かう空気の一部が第２排気通路２４に向かうようにしている。
【００３５】
５１は平面殺菌灯２８を内蔵する殺菌装置で、取手５２が突出する上面に排気口５３が形成され、２個の脚５４が突出する下面に脚５４、５４間に位置して鎧戸状の連通口５５が形成されている。この殺菌装置５１は、連通口５５を第２排気通路２４内に位置させ、排気口５３を本体ケース１外に臨む状態で本体ケース１の上面側に着脱自在に装着される。また、殺菌装置５１には、本体ケース１への装着時に操作部３２と対向する面に窓５６が形成されている。
【００３６】
前記平面殺菌灯２８は平面状に形成され、一面２８ａからは殺菌効果が最大となる２５３．７ｎｍの波長の紫外線を、他面２８ｂから４５２ｎｍの波長の可視光を照射できるように以下に示すように構成されており、他面２８ｂを窓５６に臨む状態で取りつけられる。
【００３７】
図７に示すように、一面２８ａが紫外線を通過するＵＶ透過ガラス（バリュームソーダーガラス）２８ｃで形成され、他面２８ｂが紫外線は透過せずに可視光を透過し内面側に蛍光体２８ｄが塗布された通常のソーダーガラス２８ｅで形成されている。内部には水銀蒸気とアルゴンガスが封入され、両側に放電電極２８ｆ、２８ｇが配置されている。この放電電極２８ｆ、２８ｇ間に約１ｋＶの電圧を加えるとグロー放電が生じ、放電電極２８ｆ、２８ｇ間を流れる電子２８ｈがアルゴン原子２８ｉや水銀原子２８ｊと衝突する。水銀原子２８ｊと衝突することにより発生した紫外線２８ｋは、一面２８ａのＵＶ透過ガラス２８ｃを透過し、他面２８ｂのソーダーガラス２８ｅ側では蛍光体２８ｄに当たって可視光２８ｍを発生させる。即ち、平面殺菌灯２８は、ＵＶ透過ガラス２８ｃ側が紫外線発光面（一面）となり、ソーダーガラス２８ｅ側が可視光発光面（他面）となっている。
【００３８】
前記殺菌装置５１内には、図示しない制御部品や平面殺菌灯２８へ電力を供給するための２次電池５７が搭載された制御基板５８が設けられている。この制御基板５８の下面には接続端子５９が設けられており、殺菌装置５１の装着時に接続端子５９が本体ケース１に設けた供給端子６０に接続されて本体ケース１から平面殺菌灯２８へ電力が供給されると共に、非装着時には２次電池５７から平面殺菌灯２８へ電力が供給される。また、殺菌装置５１には図示しないスイッチが設けられており、このスイッチの操作により平面殺菌灯２８の点灯と消灯とが切り換えられる。
【００３９】
６１は両側を開口する筒状の遮光部で、一端側の開口周縁を後述する操作部３２に設けた透光窓３６の周縁に当接する状態で取りつけられ、他端側の開口周縁が装着時の殺菌装置５１の窓５６周縁に当接する。これにより、殺菌装置５１の本体ケース１への装着時に、平面殺菌灯２８の他面２８ｂから窓５６を介して殺菌装置５１外に漏洩する可視光が、本体ケース１内に漏洩することなく、透光窓３６を介して本体ケース１外に効率よく漏洩できるようになっている。
【００４０】
３２は上ケース５に形成された操作部で、運転モードを切り替えるモード選択スイッチ３３と、運転停止を行うための停止スイッチ３４と、装着時の平面殺菌灯２８を点灯消灯するための点灯スイッチ３５と、透光窓３６とが設けられている。また、操作部３２の内部には図示しないガスセンサが取り付けられている。
【００４１】
モード切り換えスイッチ３３は、押す毎に、自動モード、微弱モード、弱モード、中モード、強モード、特強モードと切り換えられるようになっている。この際、ＬＥＤ３７、３８、３９、４０、４１、４２の点灯にて、どのモードに切り替わったかを使用者が認識できるようになっている。
【００４２】
自動モードでは塵埃センサやガスセンサで検知された出力に基づいて送風機２３による風量が自動的に変更される。詳述すれば、塵埃が多くなるに従い風量が多くなるように送風機２３のファン２２が駆動される。
【００４３】
微弱運転モード、弱モード、中モード、強モード及び特強モードでは、塵埃センサやガスセンサからの出力に関係なく、微弱運転モード、弱モード、中モード、強モード、特強モードの順に風量が多くなるようにそれぞれ風量が設定されて運転される。
【００４４】
次に動作について説明する。
【００４５】
殺菌装置５１を装着した状態でモード選択スイッチ３３を押すと、自動モードに切り替わり、モード選択スイッチを押す毎に、自動モード、微弱モード、弱モード、中モード、強モード、特強モードと切り換えられ、選択したモードに応じて風量が設定される。
【００４６】
そして設定された風量となるようにファン２２が駆動され、吸気口としての複数の孔６から本体ケース１内に部屋の空気が吸い込まれ、吸い込まれた空気中の粗塵がプレフィルター１４で除去され、プレフィルター１４を通過した塵埃が集塵フィルター１５にて除去される。更に、脱臭フィルター１６にて臭気成分が除去される。
【００４７】
塵埃と臭気成分が除去された空気は穴２０から第１排気通路１９内に流入し、排気口２へ向けてファンケーシング１０にて案内される。そして、図５の２点鎖線の矢印に示すように、主として排気口２から部屋に放出されると共に、一部の空気が孔２５から第２排気通路２４内に流入する。
【００４８】
第２排気通路２４内に流入した空気は、殺菌装置５１の下面に形成した連通口５５から殺菌装置５１内に流入し、平面殺菌灯２８の一面２８ａに沿って通過した後、殺菌装置５１の上面に形成した排気口５３から設置された部屋へ放出される。
【００４９】
この運転中、点灯スイッチ３５を押して平面殺菌灯２８を点灯すると、平面殺菌灯２８の一面２８ａからの紫外線が殺菌装置５１内を通過する空気に照射され、空気中の雑菌が殺菌される。
【００５０】
このように殺菌装置５１を装着した場合には、ファン２２を駆動することでフィルター体１３で本体ケース１内に吸い込んだ空気中の塵埃と臭気成分を除去できると共に、更に平面殺菌灯２８を点灯することで前記塵埃と臭気成分の除去に加え、殺菌を行うこともできる。
【００５１】
この際、平面殺菌灯２８の他面２８ｂからの可視光は殺菌装置５１の窓５６から遮光部６１内に照射され、操作部３２に設けた透光窓３６から本体ケース１外に漏洩する。これにより、平面殺菌灯２８の点灯を使用者に認識させるための光源を別途設けなくても透光窓３６から漏洩する可視光により平面殺菌灯２８の点灯を認識することができる。
【００５２】
また、上記空気清浄機は、取手５２を持って殺菌装置５１が本体ケース１から取り外される。そして、殺菌装置５１は、取手５２を持って設置しようとする場所に搬送され、脚５４を設置面に当接させて設置される。殺菌装置５１に設けられた図示しないスイッチを操作すると、殺菌装置５１に内蔵された２次電池５７を電源として平面殺菌灯２８が点灯する。
【００５３】
平面殺菌灯２８が点灯すると、一面２８ａからの紫外線が殺菌装置５１内の空気に照射されて殺菌されると共に、平面殺菌灯２８で発生する熱により殺菌装置５１の排気口５３に向かう上昇気流が生じる。これに伴ない、連通口５５から殺菌装置５１内に空気が流入するようになり、殺菌装置５１が設置された場所の殺菌を行うことができる。
【００５４】
この際、連通口５５が形成された下面には脚５４が突出し、排気口５３が形成された上面には取手５２が突出していることから、殺菌装置５１の連通口５５や排気口５３が設置面や障害物に対向するように設置されても、連通口５５及び排気口５３が閉塞されることが無く、殺菌装置５１内に確実に空気を取り入れて殺菌することができる。
【００５５】
そして、脚５４が形成された下面と対向する上面に排気口５３を形成したことで、排気口５３が上方に向いた状態で設置され、平面殺菌灯２８で発生する熱により上昇気流が起こりやすくなる。
【００５６】
また、平面殺菌灯２８からは、上述の如く、一面２８ａから紫外線が照射されると共に、他面２８ｂからは可視光が照射され、この可視光が殺菌装置５１に形成された窓５６から殺菌装置５１外に漏洩する。この漏洩する可視光により、平面殺菌灯２８の点灯を使用者に認識させることができる。
【００５７】
上述の如く、殺菌装置５１を本体ケースに着脱自在に設け、殺菌装置５１の装着時のみではなく殺菌装置５１を取り外したときにも殺菌を行えるようにしたことで、装着時にフィルター体１３にて塵埃と臭気成分を除去でき、且つ、平面殺菌灯２８にて殺菌を行うことができると共に、非装着時には殺菌装置５１を設置した場所の殺菌を行うことができる。殺菌装置５１のみを設置するため下駄箱などの狭い空間にも設置することができ、使用場所が広がり使用形態を多様化できる。
【００５８】
尚、上記実施の形態に示すように、フィルター体１３で浄化した空気が主として通過する第１排気通路１９と、一部が通過する第２排気通路２４とを設け、この第２排気通路２４に平面殺菌灯２８を設けたが、第２排気通路を設けずに、第１排気通路のみとし、この第１排気通路に平面殺菌灯を設けても良い。
【００５９】
また、殺菌装置５１内に２次電池５７を内蔵し、非装着時に２次電池５７から平面殺菌灯２８へ電力を供給するようにしたが、２次電池５７の代わりに１次電池を内蔵するようにしても良い。また、殺菌装置５１の非装着時に電源コードを介して商用電源からの電力が供給されるようにしても良い。
【００６０】
また、自然対流や平面殺菌灯２８で生じる熱により発生する上昇気流を利用して殺菌装置５１内に空気が取り入れられる構成としたが、殺菌装置５１内に小型ファンを設け、この小型ファンの駆動により、殺菌装置内に空気が取り入れられようにしても良い。
【００６１】
また、本体ケース１内に吸い込んだ空気を浄化するフィルターとして、プレフィルター１４と集塵フィルター１５と脱臭フィルター１６からなるフィルター体１３を示したが、これに限定されるものではなく、例えば、プレフィルター１４のみ、集塵フィルター１５のみ、又は、脱臭フィルター１６のみの場合でも、これらを組み合わせたものでも良い。
【００６２】
【発明の効果】
本発明の請求項１によれば、殺菌装置を本体ケース内に装着することで、本体ケース内に吸い込まれた空気をフィルター体にて浄化でき、且つ、殺菌灯にて殺菌できると共に、非装着時には下駄箱等の狭い空間に設置して殺菌を行うことができ、使用形態を多様化することができる。
【００６３】
本発明の請求項２によれば、取手に手をかけて殺菌装置を本体ケースから容易に取り外すことができる。
【００６４】
本発明の請求項３によれば、殺菌装置を取り外して設置した際に排気口側を設置面や障害物などに向けた状態でも排気口が塞がれるのを取手で防止でき、殺菌装置で殺菌した空気を排気口から確実に排気することができる。
【００６５】
本発明の請求項４によれば、殺菌装置を本体ケースから取り外して使用する際に、脚にて安定して設置できる。更に、排気口を上方に向けて設置できるので、殺菌灯の熱により排気口に向けて上昇気流が生じ、風量が増え、殺菌効率を向上できる。
【００６６】
本発明の請求項５によれば、殺菌装置を本体ケースから取り外して使用する際に、対向面に形成された脚部にて連通口が塞がれるのを防止でき、連通口から殺菌装置内に空気を確実に取り入れることができる。
【００６７】
本発明の請求項６によれば、殺菌装置内の空気に一方からの紫外線を照射して殺菌することができると共に、他方からの可視光を殺菌灯外に漏洩させることで、殺菌灯の点灯を容易に確認でき、このことは言い換えると殺菌灯の故障を確実に発見することが可能となる。
【００６８】
本発明の請求項７によれば、殺菌灯を本体ケースから取り外して使用する際に、殺菌灯の点灯時に殺菌装置外に殺菌灯の他方から照射される可視光を漏洩することができ、殺菌灯の点灯を容易に確認することができる。
【００６９】
本発明の請求項８によれば、殺菌装置を本体ケースへ装着して使用する際にも、本体ケース外に漏洩する殺菌灯からの可視光にて殺菌灯の点灯を容易に確認することができる。
【００７０】
本発明の請求項９によれば、殺菌装置を本体ケースから取り外して使用する際に、近くに商用電源が無くても電池を電源として使用することができ、使用場所が限定されること無く、使用形態を多様化できる。
【図面の簡単な説明】
【図１】本発明の実施の形態を示す空気清浄機の正面図である。
【図２】同空気清浄機の平面図である。
【図３】同空気清浄機の平面断面図である。
【図４】同空気清浄機の側面断面図である。
【図５】図３におけるＸ−Ｘ断面図である。
【図６】図３におけるＹ−Ｙ断面図である。
【図７】同空気清浄機の平面殺菌灯の側面縦断面図である。
【符号の説明】
１　　　　本体ケース
１３　　　　フィルター体
２８　　　　平面殺菌灯
２８ａ　　　平面殺菌灯の一面
２８ｂ　　　平面殺菌灯の他面
３６　　　　透光窓
５１　　　　殺菌装置
５２　　　　取手
５３　　　　殺菌装置の排気口
５４　　　　脚
５５　　　　連通口
５６　　　　窓
５７　　　　２次電池
【図１】
2004033269.tif 000003
【図２】
2004033269.tif 000004
【図３】
2004033269.tif 000005
【図４】
2004033269.tif 000006
【図５】
2004033269.tif 000007
【図６】
2004033269.tif 000008
【図７】
2004033269.tif 000009